(57)【特許請求の範囲】
【請求項１】
上下に所定間隔にして水平多数のタイル支持用リブを表裏同一位置の対称状に突出配設したパネル基体と，該パネル基体の一側又は両側の側端面をなすように垂直側面を露出して配設し且つ露出した垂直側面に上記表裏の各タイル支持用リブを繋ぐように各タイル支持用リブ間位置に水平方向に断続し上下に所定間隔のタイル支持用断続突起を突出配設した上記パネル基体立設用にしてその一側又は両側に位置する支柱と，上記タイル支持用リブ及びタイル支持用断続突起を介してパネル基体の表裏及び側端面に水平方向一連に張設した表面タイルとを備えてなることを特徴とする外構用タイルパネル。
【請求項２】
請求項１の支柱を，アルミ又は合成樹脂の押出型材により構成し且つそのタイル支持用断続突起を，該押出型材に一体成型した長手方向一連にして平行複数のリブ又はフインに部分的切欠き加工を施しその残存部分によって突出配設してなることを特徴とする外構用タイルパネル。
【請求項３】
請求項１又は２のパネル基体を，一体成型した単一発泡樹脂製又は一体成型した表裏部材を接合した接合発泡樹脂製とし，支柱をその一側又は両側の側端面に形成したコ字状乃至Ｃ字状被嵌溝内に側端面一状一体に配設してなることを特徴とする外構用タイルパネル。
【請求項４】
請求項３のパネル基体を単一発泡樹脂製とし，これに対する支柱の側端面一状一体の配設を，パネル基体成型時のインサート成型によって行ってなることを特徴とする外構用タイルパネル。
【発明の詳細な説明】
【０００１】
【産業上の利用分野】
本発明は，門袖，塀等の外構用として好適に用いられる外構用タイルパネルに関する。
【０００２】
【従来の技術】
現場施工のコンクリート製の基体に表面タイルを張設した門袖，塀等の外構に代り，工場生産して現場に搬入し，設置するようにした外構用のタイルパネルが提案されている。
【０００３】
例えば本出願人の特開平５−３２１４３７号によれば，複数のパネル基体の表裏に，該パネル基体のタイル支持用リブを介して表面タイルを張設するとともにこれら複数のパネル基体を，その立設用の支柱によって上下に連結した上，側端面の処理を，パネル基体と該支柱を覆う表面タイルの材質と同様な窯業系の端枠材で被覆したものとされる。
【０００４】
【発明が解決しようとする課題】
この場合，支柱を用いることによってタイルパネルの確実強固な立設をなし得るが，支柱を用いたことによって，パネル基体の側端面に表面タイルを張設することができず，側端面の処理に別途の部材を用いる必要が生じる一方，現場施工の外構と外観を異にし，違和感を招き易い。
【０００５】
本発明はかかる事情に鑑みてなされたもので，その解決課題とする処は，先ず支柱を用いる一方で，パネル基体の表裏及び側端面に表面タイルの連続性を確保するように表面タイルを一連に張設することによって，可及的に現場施工のものと同様な外観とした外構用タイルパネルを提供するにあり，次いでその生産性を向上し，併せて簡易且つ確実に得ることができ，または現場への搬入設置に好適な外構用タイルパネルを提供するにある。
【０００６】
【課題を解決するための手段】
上記第１の課題に添い本発明は，請求項１を上下に所定間隔にして水平多数のタイル支持用リブを表裏同一位置の対称状に突出配設したパネル基体と，該パネル基体の一側又は両側の側端面をなすように垂直側面を露出して配設し且つ露出した垂直側面に上記表裏の各タイル支持用リブを繋ぐように各タイル支持用リブ間位置に水平方向に断続し上下に所定間隔のタイル支持用断続突起を突出配設した上記パネル基体立設用にしてその一側又は両側に位置する支柱と，上記タイル支持用リブ及びタイル支持用断続突起を介してパネル基体の表裏及び側端面に水平方向一連に張設した表面タイルとを備えてなることを特徴とする外構用タイルパネルとし，また第２の課題に添い請求項２を，請求項１の支柱を，アルミ又は合成樹脂の押出型材により構成し且つそのタイル支持用断続突起を，該押出型材に一体成型した長手方向一連にして平行複数のリブ又はフインに部分的切欠き加工を施しその残存部分によって突出配設してなることを特徴とする外構用タイルパネル，請求項３を，請求項１又は２のパネル基体を，一体成型した単一発泡樹脂製又は一体成型した表裏部材を接合した接合発泡樹脂製とし，支柱をその一側又は両側の側端面に形成したコ字状乃至Ｃ字状被嵌溝内に側端面一状一体に配設してなることを特徴とする外構用タイルパネル，請求項４を，請求項３のパネル基体を単一発泡樹脂製とし，これに対する支柱の側端面一状一体の配設を，パネル基体成型時のインサート成型によって行ってなることを特徴とする外構用タイルパネルとし，これらをそれぞれ発明の要旨として上記課題解決の手段としたものである。
【０００７】
【実施例】
以下実施例を示す図面に従って本発明を更に具体的に説明すれば，Ａは，例えば門袖として用いた外構用タイルパネルであり，該外構用タイルパネルＡはパネル基体１と，該パネル基体１立設用の支柱１０と，パネル基体１の表裏及び側端面に張設した表面タイル２０とを備えたものとしてある。
【０００８】
パネル基体１は，上下に所定間隔にして水平多数のタイル支持用リブ２を表裏同一位置の対称状に突出配設したものとしてあり，該パネル基体１は，本例において一体成型した単一発泡樹脂製のものとしてあり，特に中実一体にして上記タイル支持用リブ２を同時に一体成型したものとし，このとき発泡樹脂はスチレン樹脂を用い，構造強度を確保し且つタイル支持用リブ２に表面タイル２０の支持強度を付与するように比較的低発泡の，例えば３０倍の発泡倍率によって成型を施したものとしてある。
【０００９】
本例においてタイル支持用リブ２は，４４ｍｍの等間隔の２６ｍｍ幅にして，上端をやや丸めて５０°のＶ字状とするようにした４．５ｍｍ厚の平行多数のものとしてあり，これらの間に上記４４ｍｍの開口幅の低溝３を形成したものとしてある。
【００１０】
支柱１０は，パネル基体１の両側の側端面をなすように垂直側面（垂直端面）１１を露出して配設し且つ露出した垂直側面１１に上記表裏の各タイル支持用リブ２を繋ぐように各タイル支持用リブ２間位置に水平方向に断続し上下に所定間隔のタイル支持用突起１２を突出配設したパネル基体１の両側に位置するものとしてある。
【００１１】
本例にあってこれら両側の支柱１０は，アルミの押出型材，特に矩形中空の押出型材により構成し且つそのタイル支持用断続突起１２を，該押出型材に一体成型した長手方向一連にして平行複数のフイン（突条）に部分的切欠き加工を施しその残存部分によって突出配設したものとしてある。
【００１２】
即ち本例の支柱１０は，２．０ｍｍ厚の肉厚とした上記矩形中空のものとし，その一側の端面をなす垂直側面１１に，３０ｍｍ間隔にして４．５ｍｍ幅突出した等間隔４条のフインを一体成型により突設したものとし，該４条のフインに上記タイル支持用リブ２におけると同様に４４ｍｍ幅でそれぞれ部分的切欠き加工を施すことによって，該切欠き部分を開放部１３とするとともに各２６ｍｍの残存部分をもってタイル支持用断続突起１２としてある。
【００１３】
即ち本例にあってタイル支持用断続突起１２は，支柱１０の垂直側面１１に一体にして水平方向に複数，特に４ケ所断続するものとし上下に所定間隔，特に等間隔としたものであり，このとき上記部分的切欠き加工をタイル支持用リブ２の低溝３形状と同様とするように行うことによって，該タイル支持用断続突起１２は，断続する点を除けばタイル支持用リブ２と同一形状，上下同一間隔のものとして，上記表裏のタイル支持用リブ２を断続して繋ぐものとして構成してある。
【００１４】
パネル基体１に対する支柱１０の垂直側面１１露出の配設は，本例にあって，パネル基体１の両側の側端面に形成したコ字状乃至Ｃ字状被嵌溝４内に側端面一状一体に行ったものとしてあり，更に本例にあってこの側端面一状一体の配設は，これを単一発泡樹脂製のパネル基体１成型時のインサート成型によって行ったものとしてある。
【００１５】
なおインサート成型に当っては，支柱１０の断面形状をやや複雑化し，前端にＬ字溝１４を，後端に各一対のＣ字溝１５を形成するようにして，支柱１０とパネル基体１発泡樹脂の接着面積を可及的に大とし，同時にＬ字溝，Ｃ字溝１４，１５内に発泡樹脂を嵌め込ませるように流入することによってパネル基体１と支柱１０との接着一体化とその剥離防止を行い，強固にして確実な固定を行ったものとしてある。
【００１６】
この支柱１０を両側に配設したパネル基体１には，そのタイル支持用リブ２及び支柱１０のタイル支持用断続突起１２を介してパネル基体１の表裏及び側端面に水平方向一連に表面タイル２０を張設したものとしてある。
【００１７】
表面タイル２０は，本例において横長平板状及び横長平面Ｌ字状のものにして，裏面に上位を２３ｍｍ幅，下位を２１ｍｍ幅とする上下一対の脚条２１，２２と該脚条２１，２２間の２８ｍｍ開口，４．５ｍｍ深さの蟻溝２３を共通に具備して断面を同一にしたものを用いてあり，該表面タイル２０の裏面を上記タイル支持用リブ２及びタイル支持用断続突起１２に嵌合状に支持するとともに接着剤により接着固定して上記パネル基体１の表裏及び側端面に張設したものとしてある。
【００１８】
即ち横長平板状の表面タイル２０はパネル基体１の表裏用とし，横長平面Ｌ字状の表面タイル２０はパネル基体１の表裏両側端部と側端面用として，それぞれ千鳥状をなすように配置するとともに各表面タイル２０の蟻溝２３にタイル支持用リブ２及びタイル支持用断続突起１２を受入れ，これらに対して上位の脚条２１を引掛載置状とし，上下一対の脚条２１，２２を，表裏にあってはタイル支持用リブ２間の低溝３に，側端面にあっては支柱１０の垂直側面１１乃至開放部１３にそれぞれ対接し，各上下一対のうち下位の脚条２２を，その対接部位において，接着剤，例えばシリコン系の接着剤により接着してその固定を行ったものとしてある。
【００１９】
パネル基体１の側端面にあっては，横長平面Ｌ字状表面タイル２０一方の長辺と他方の短辺とによって，側端面の厚さをカバーするように表面タイル２０を配置し，パネル基体１における上記千鳥状の張設を，側端面に対してそのまま連続して表面タイル２０の連続性を確保するように一連に張設したものとしてある。
【００２０】
このときパネル基体１の側端面における表面タイル２０は，その一方の長辺は，それぞれ表裏のタイル支持用リブ２とともに上記４ケ所のタイル支持用断続突起１２の３ケ所において，短辺は１ケ所においてそれぞれ支持されて上記張設がなされるものとしてある。
【００２１】
図中３０はパネル基体１上に嵌着配設したアルミ押出型材を加工した笠木，５はパネル基体１に透設した嵌入孔，３１は該嵌入孔５に固定したポスト，３２は外灯，３３はインタフォン，３４は配線時の結線ボックス，１６はパネル基体１を切欠き加工して支柱１０を露出して配設し，上方において門扉の高さ寸法に対応し得るように複数とした門扉取付部，３６は該門扉取付部１６に調整金具３５を介して取付けた門扉を示す。
【００２２】
図示した例は以上のとおりとしたが，パネル基体は，これを上下に所定間隔にして水平多数のタイル支持用リブをそれぞれ突出配設した，例えば一体成型のセメント系ボードによる表裏部材や発泡合成樹脂製厚肉ボードによる表裏部材を，表裏に対向設置し又は表裏に接合設置したものとして構成すること，このとき支柱の垂直側面を露出した配設は，これら表裏部材側端部間に側端面一状一体に挟み込み状とし又は側端部を刳り抜いて形成したコ字状乃至Ｃ字状被嵌溝内に側端面面一状一体に嵌め込み状として行うこと，支柱を押出型材により構成するとき，これを合成樹脂製とし，必要に応じて鉄芯等の補強手段を施すこと，支柱のタイル支持用断続突起の形成を，押出型材に一体成型した中実又は中空のリブやＬ字状，Ｔ字状等のフインに部分的切欠き加工を施し，その残存部分によって突出配設したものとすること，パネル基体へのタイル支持用断続突起を突出配設した支柱の配設を，該パネル基体の一側の側端面として該側端面に表面タイルを張設する一方，他側には支柱を配設することなく，又はタイル支持用断続突起を有しない支柱を配設して側端面を隣接するパネル基体と突合せ連続用とし，複数のタイルパネルによる門袖，塀等の外構を構成するようにすること等が可能であり，これらを含めて本発明の実施に当ってパネル基体，支柱，表面タイルの各具体的構造，形状，寸法，数，これらの関係，これらに対する付加等は，上記発明の要旨に反しない限り様々の態様のものとすることができる。
【００２３】
【発明の効果】
以上のとおり本発明請求項１は，上下に所定間隔にして水平多数のタイル支持用リブを表裏同一位置の対称状に突出配設したパネル基体と，該パネル基体の一側又は両側の側端面をなすように垂直側面を露出して配設し且つ露出した垂直側面に上記表裏の各タイル支持用リブを繋ぐように各タイル支持用リブ間位置に水平方向に断続し上下に所定間隔のタイル支持用断続突起を突出配設した上記パネル基体立設用にしてその一側又は両側に位置する支柱と，上記タイル支持用リブ及びタイル支持用断続突起を介してパネル基体の表裏及び側端面に水平方向一連に張設した表面タイルとを備えてなることを特徴とするから，タイルパネルの確実強固な立設をなし得るように支柱を用いるとともにパネル基体の表裏及び側端面に表面タイルの連続性を確保するように表面タイルを張設することによって，可及的に現場施工のものと同様な外観とした外構用タイルパネルを提供することができる。
【００２４】
請求項２は，請求項１の支柱を，アルミ又は合成樹脂の押出型材により構成し且つそのタイル支持用断続突起を，該押出型材に一体成型した長手方向一連にして平行複数のリブ又はフインに部分的切欠き加工を施しその残存部分によって突出配設してなることを特徴とするから，上記に加えて，支柱をこの種外構において好適な押出型材を用いたものとするとともにこれに部分的切欠き加工を施してタイル支持用断続突起を突出配設することによって，生産性を向上し，併せて簡易且つ確実に得られる外構用タイルパネルとすることができる。
【００２５】
請求項３は，請求項１又は２のパネル基体を，一体成型した単一発泡樹脂製又は一体成型した表裏部材を接合した接合発泡樹脂製とし，支柱をその一側又は両側の側端面に形成したコ字状乃至Ｃ字状被嵌溝内に側端面一状一体に配設してなることを特徴とするから，同じく上記に加えて，パネル基体を発泡合成樹脂製のものとして，現場への搬入設置に好適な外構用タイルパネルとすることができる。
【００２６】
請求項４は，請求項３のパネル基体を単一発泡樹脂製とし，これに対する支柱の側端面一状一体の配設を，パネル基体成型時のインサート成型によって行ってなることを特徴とするから，同じく上記に加えて，インサート成型によって更にその生産を容易化した外構用タイルパネルとすることができる。
【図面の簡単な説明】
【図１】外構の正面図
【図２】外構外側の背面図
【図３】外構の側面図
【図４】タイルパネルの一部拡大縦断面図
【図５】パネル基体の正面図
【図６】パネル基体の背面図
【図７】パネル基体の側面図
【図８】パネル基体の部分縦断面図
【図９】パネル基体タイル支持用リブの縦断面図
【図１０】図５Ａ−Ａ線横断面図
【図１１】図６Ｂ−Ｂ線横断面図
【図１２】支柱の横断面図
【図１３】支柱の正面図
【図１４】支柱の側面図
【図１５】表面タイルの側面図
【図１６】パネル基体と表面タイルの関係を示す斜視図
【符号の説明】
Ａ  タイルパネル
１  パネル基体
２  タイル支持用リブ
１０  支柱
１１  垂直側面
１２  タイル支持用断続突起
２０  表面タイル
【図１】
0003554061.tif 000002
【図２】
0003554061.tif 000003
【図３】
0003554061.tif 000004
【図４】
0003554061.tif 000005
【図５】
0003554061.tif 000006
【図６】
0003554061.tif 000007
【図７】
0003554061.tif 000008
【図８】
0003554061.tif 000009
【図９】
0003554061.tif 000010
【図１０】
0003554061.tif 000011
【図１１】
0003554061.tif 000012
【図１２】
0003554061.tif 000013
【図１３】
0003554061.tif 000014
【図１４】
0003554061.tif 000015
【図１５】
0003554061.tif 000016
【図１６】
0003554061.tif 000017